(57)【要約】【課題】単に制振シートを用いたり、パーティクルボードを二重貼りすることでは達成し得ない、さらに高い遮音性能を有する二重床を開発する。【解決手段】下床上に設置した床支持具上にベース板を貼付し、該ベース板の上に金属製根太材を所定間隔で平行に設置し、該根太材の上に捨貼板を貼付し、該捨貼板の上に床仕上材を設ける。金属製根太材を設置することで二重床の剛性が増し、騒音発生時の二重床の振幅が小さくなり、遮音性能が向上する。【選択図】      図１
2009127248.tif 000002
【特許請求の範囲】
【請求項１】
下床上に設置した床支持具上にベース板を貼付し、該ベース板の上に金属製根太材を所定間隔で平行に設置し、該根太材の上に捨貼板を貼付し、該捨貼板の上に床仕上材を設けることを特徴とする二重床。
【請求項２】
請求項１の二重床において、前記ベース板がパーティクルボードであることを特徴とする二重床。
【請求項３】
請求項１又は２の二重床において、前記金属製根太材を、前記ベース板の長手方向と直角方向に設置することを特徴とする二重床。
【請求項４】
請求項１〜３のいずれかの二重床において、前記捨貼板が合板であることを特徴とする二重床。
【請求項５】
請求項１〜４のいずれかの二重床において、前記捨貼板を、その長手方向が前記金属製根太材の方向と直角方向になるように貼付したことを特徴とする二重床。
【請求項６】
請求項１〜５のいずれかの二重床において、前記金属製根太材の間に弾性板材を充填したことを特徴とする二重床。
【請求項７】
請求項１〜６のいずれかの二重床において、前記金属製根太材が、概略四角形断面を有する鋼製パイプ材であることを特徴とする二重床。
【請求項８】
請求項１〜７のいずれかの二重床において、前記金属製根太材が、四角形断面の鋼製棒材であることを特徴とする二重床。
【発明の詳細な説明】
【技術分野】
【０００１】
本発明は、コンクリートスラブなどの下床の上に上床を施工する二重床で、特に遮音性能に優れる二重床に関する。
【背景技術】
【０００２】
従来から、コンクリートスラブなどの下床の上に床支持具を配置し、その上にパーティクルボードなどのベース板を貼付する二重床が知られている（特許文献１〜５参照）。
図１５は従来の遮音性能を重視した二重床の例を示す断面図説明である。コンクリートスラブなどの下床１３上に床支持具１（図３、４参照）を適宜間隔で配置し、これらの上にベース板２（上床の荷重を受け止めて床支持具に伝達する構造材）であるパーティクルボードを貼付し、その上に順次弾性板材１０（制振シート（骨材をアスファルト又はゴムで固めたもの）等）、捨貼板４（合板等）、床仕上材５（フローリング等）を貼付している。
【０００３】
上記のように、二重床の遮音性能を高め、二重床の上床上の騒音が階下の部屋に伝達しないようにする場合、ベース板（パーティクルボード）の上に制振シートを貼付し、さらにその上に仕上げ材を貼付するための合板を貼付することが行われていた。このような二重床は、制振シートの弾性及び遮音性によって、上床上の騒音が階下の部屋に伝わるのを防ぎ、遮音性能に優れたものとなる。なお、遮音性能を重視しない場合は、パーティクルボード１の上に直接フローリング９などの仕上げ材を貼付することが可能である。
【０００４】
また、下記特許文献６には、ベース板であるパーティクルボードを二重貼りして、制振シートを用いることなく遮音性能を高める技術が開示されている。
【特許文献１】特開昭５７−１１９０５５号公報
【特許文献２】特開平１０−２４５９６４号公報
【特許文献３】特開２００１−９８７４７号公報
【特許文献４】実開昭５６−１５５０４２号公報
【特許文献５】実開昭５６−１７４６３６号公報
【特許文献６】特開２００５−９７９０２号公報
【発明の開示】
【発明が解決しようとする課題】
【０００５】
近年、マンションなどの騒音被害をなくすため、より高い遮音性能を有する二重床が望まれている。
本発明は、単に制振シートを用いたり、パーティクルボードを二重貼りすることでは達成し得ない、さらに高い遮音性能を有する二重床を開発することを課題としてなされたものである。
【課題を解決するための手段】
【０００６】
本発明は、下床上に設置した床支持具上にベース板を貼付し、該ベース板の上に金属製根太材を所定間隔で平行に設置し、該根太材の上に捨貼板を貼付し、該捨貼板の上に床仕上材を設けることを特徴とする二重床である。
金属製根太材を設置することで二重床の剛性が増し、騒音発生時の二重床の振幅が小さくなり、遮音性能が向上するものと考えられる。
【０００７】
金属製根太材として、例えば断面二次モーメントが０．５ｃｍ４のものを用いた場合、金属製根太材の間隔を３０ｃｍ程度にすることで充分な効果を得られることから、幅１ｍ当たりに存在する金属製根太材の断面二次モーメントの和が１．６６ｃｍ４以上であることが望ましい。
【０００８】
本発明において、ベース板はパーティクルボードや合板を用いることができるが、パーティクルボードが好適である。金属製根太材は、ベース板の長手方向と直角方向に設置することが望ましい。パーティクルボードは長方形のパネル状をなし、その大きさは一般的には４５０ｍｍ×１８００ｍｍ、６００ｍｍ×１８００ｍｍ、９００ｍｍ×１８００ｍｍ、厚さは２０ｍｍ又は２５ｍｍである。ここで「長手方向」とは、貼付したときの、切断していないいわゆる「真物（まもの）」の状態における長辺の方向をいう。金属製根太材を、ベース板の長手方向と直角方向に設置することで、金属製根太材の位置が、強度的弱点となるベース板の継目に重なりにくくなり、局部的に剛性が小さな部分ができるのを防ぐことができる。
【０００９】
捨貼板としては、合板などを用いることができる。捨貼板は、その長手方向が金属製根太材の方向と直角方向になるように貼付するのが望ましい。合板の大きさは、通常、６０６ｍｍ×１８２０ｍｍ、９１０ｍｍ×１８２０ｍｍである。捨貼板を、その長手方向が金属製根太材の方向と直角方向になるように貼付することで、強度的弱点となる、金属製根太材に直接支持されていない捨貼板の端部の長さが短くなり、局部的に剛性が小さな部分ができるのを防ぐことができる。
【００１０】
本発明において、金属製根太材の間に弾性板材を充填することが望ましい。弾性板材としては、アスファルト又はゴムに鉄粉などの骨材を練り込んだ制振シート、グラスウール、発泡プラスチックなどを用いることができる。弾性板材を充填することで、捨貼板の振動がベース板に伝達するのを低減し、遮音性能がさらに向上する。弾性板材は１枚に限らず、複数枚を重ねて充填しても良い。
【００１１】
金属製根太材としては、概略四角形断面を有する鋼製パイプ材を用いることができる。具体的には、通常の鋼製角パイプや、いわゆる角スタッドなどである。角スタッドは厚さ０．４〜０．５ｍｍ程度の薄肉の鋼板を加工して断面を概略四角形とし、断面２次モーメントを向上するために複数のリブを設けたものである。
【００１２】
また、金属製根太材としては、四角形断面の鋼製棒材、いわゆるフラットバーを用いることもできる。
【発明の効果】
【００１３】
本発明の二重床は、ベース板の上に金属製根太材を設置することで剛性が大きくなり、遮音性能が大幅に向上される。
【実施例】
【００１４】
図１、２は実施例の二重床の断面図である。図１において、床支持具１の上にベース板２が貼付され、その上に金属製根太材３が所定間隔で平行に設置され、根太材３の上に捨貼板４が貼付され、その上に床仕上材５が貼付されている。図２の二重床は、基本的には図１の二重床と同じであるが、金属製根太材３の間に２枚の弾性板材１０を重ねて充填している点で異なる。
【００１５】
本発明において、床支持具は上床を下床から浮かせて支持できるものであればよく、特に限定されないが、脚部に防振ゴムを有するものを用いることが望ましい。防振ゴムによって上床の騒音が吸収され、遮音性能が向上するからである。図３、４は防振ゴムを有する床支持具の例を示している。図３は単足の床支持具１の例で、支持板部６、受金具８、ボルト７、脚部９からなる。支持板部６は木質の板でボルト孔（貫通孔）を有し、下面に受金具８が固定されている。受金具８は金属製又は樹脂製の板状のもので、雌ねじ孔にボルト７が螺着される。脚部９は防振ゴムでボルト７の下端が挿入されている。ボルト７の上面には直径方向の溝があり、上からドライバーで回転して高さ調整が可能である。図４は複足の床支持具１で、図３と同じ機能の部材に同じ符号を付している。床支持具としては、図３の単足床支持具、図４の複足の床支持具、これらの組み合わせ、又古来の大引・根太など種々のものを用いることができる。なお、図３、４は上段に平面図、下段に断面図を示している。
【００１６】
図５〜９は、種々の金属製根太材３の例、及びその設置方法の例を示している。図５の金属製根太材３は、いわゆる角スタッドで、断面が概略四角形をなし、上面、下面及び側面にリブ３ａが形成されている。ビス１１によりベース板２に固定され、ビス１２により捨貼板４が金属製根太材３に固定されている。ビス１１をねじ込む部分には、金属製根太材３の上面にドライバーを差し込む穴があけられている。
【００１７】
図６の金属製根太材は、いわゆる角スタッドの下部両側にフランジ部３ｂが突出形成されているものである。ビス１１によりベース板２に固定され、ビス１２により捨貼板４が金属製根太材３に固定されている。ビス１１はフランジ部３ｂからねじ込まれるので、図５の場合に較べてビスのねじ込み作業が容易である。
【００１８】
図７の金属製根太材３は鋼製角パイプである。ビス１１によりベース板２に固定されている。捨貼板４はビス１２によりベース板２に固定されている。
【００１９】
図８の金属製根太材３は鋼板を折り曲げたもので、下面が開放した概略四角形断面を有し、両側下部が外側に折り曲げられたフランジ部３ｃとなっている。ビス１１によりベース板２に固定され、ビス１２により捨貼板４が金属製根太材３に固定されている。
【００２０】
図９の金属製根太材３は鋼製フラットバーである。ビス１１によりベース板２に固定されている。捨貼板４はビス１２によりベース板２に固定されている。
【００２１】
図５〜９において、金属製根太材３はビスによりベース板に固定されているが、両面テープや接着剤により固定することもできる。
【００２２】
図１０は、実施例の二重床の組立状態を示す説明図、図１１は図１０におけるＡ−Ａ’線断面図、図１２は図１０におけるＢ−Ｂ’線断面図である。
図１０〜１２において、コンクリートスラブの下床１３の上に、図４に示す床支持具１を４５０ｍｍピッチで並べ、その上にベース板２として６００ｍｍ×１８００ｍｍのパーティクルボードを貼付し、その上に金属製根太材３として２５ｍｍ×４０ｍｍの角スタッドを３００ｍｍピッチで平行に設置し、その上に捨貼板４として９１０ｍｍ×１８２０ｍｍの合板を貼付している。ベース板及び捨貼板の長手方向は金属製根太材の方向と直角方向である。なお、図示はしていないが、捨貼板の上にはフローリングなどの床仕上材５を貼付する。
【００２３】
実施例及び比較例の二重床について遮音性能を測定した。遮音性能は、ＪＩＳ−Ａ−１４４０に準拠し、建設省告示第１６５４号８−１（３）のロ２ｆに記載されている実験室で測定した。実施例及び比較例の仕様は次の通りである。
〔実施例〕
床支持具：  図４のものを図１０のように４５０ｍｍピッチで設置
ベース板：  ６００ｍｍ×１８００ｍｍ×２５ｍｍのパーティクルボード
金属製根太材：  角スタッド４０×２５（断面２次モーメント０．６４ｃｍ４）を３００ｍｍピッチで設置
弾性板材：  厚さ１２ｍｍの制振シート２枚重ね
捨貼板：  ９１０ｍｍ×１８２０ｍｍ×１５ｍｍの合板
床仕上材：  厚さ１６ｍｍのフローリング
〔比較例〕
床支持具：  図４のものを図１０のように４５０ｍｍピッチで設置
ベース板：  ６００ｍｍ×１８００ｍｍ×２５ｍｍのパーティクルボード
弾性板材：  厚さ１２ｍｍの制振シート２枚重ね
捨貼板：  ９１０ｍｍ×１８２０ｍｍ×１５ｍｍの合板
床仕上材：  厚さ１６ｍｍのフローリング
【００２４】
実施例は、図２に示すように、ベース板と捨貼板の間に金属製根太材を設置し、金属製根太材どうしの間に制振シートを充填したのに対し、比較例は、図２から金属製根太材を除去し、ベース板と捨貼板の間に制振シートのみを充填している。したがって、実施例と比較例の相違は、金属製根太材が有るか無いかのみであり、その他は全く同じである。
【００２５】
実施例と比較例について、重量床衝撃音低減量と軽量床衝撃音低減量を測定した。ここで「低減量」とは、二重床を施工せずに階上の実験室で衝撃音を発生させ階下の受音室で測定した音圧レベルに対して、二重床を施工後に同様に測定した音圧レベルの低減量である。
重量床衝撃音は子供の走り回る音、物を落としたときに生じる音など、特別な行動によって生じる衝撃音で、実験室に設置したバングマシーンで発生させる。軽量床衝撃音は主に通常の生活音を基準とした衝撃音で、実験室に設置したタッピングマシーンで発生させる。
【００２６】
表１に実施例及び比較例の重量床衝撃音低減量を、表２に実施例及び比較例の軽量床衝撃音低減量を示す。また、図１３は表１を、図１４は表２をグラフにしたものである。
表１、２及び図１３、１４から明らかなように、重量床衝撃音において、実施例は比較例よりも平均２．７８ｄＢ低減量が多く、軽量床衝撃音において、実施例は比較例よりも２．４４ｄＢ低減量が多い。
これにより、本発明の二重床が遮音性能に優れるものであることが実証された。
【００２７】
【表１】
2009127248.tif 000003
【００２８】
【表２】
2009127248.tif 000004
【図面の簡単な説明】
【００２９】
【図１】実施例の二重床の断面図である。
【図２】実施例の二重床の断面図である。
【図３】床支持具の説明図である。
【図４】床支持具の説明図である。
【図５】金属製根太材及び固定方法の説明図である。
【図６】金属製根太材及び固定方法の説明図である。
【図７】金属製根太材及び固定方法の説明図である。
【図８】金属製根太材及び固定方法の説明図である。
【図９】金属製根太材及び固定方法の説明図である。
【図１０】実施例の二重床の組立状態の説明図である。
【図１１】図１０におけるＡ−Ａ’線断面図である。
【図１２】図１０におけるＢ−Ｂ’線断面図である。
【図１３】重量床衝撃音低減量測定結果の説明図である。
【図１４】軽量床衝撃音低減量測定結果の説明図である。
【図１５】従来の二重床の断面説明図である。
【符号の説明】
【００３０】
１  床支持具
２  ベース板
３  金属製根太材
４  捨貼板
５  床仕上材
６  支持板部
７  ボルト
８  受金具
９  脚部
１０  弾性板材
１１  ビス
１２  ビス
１３  下床
【図１】
2009127248.tif 000005
【図２】
2009127248.tif 000006
【図３】
2009127248.tif 000007
【図４】
2009127248.tif 000008
【図５】
2009127248.tif 000009
【図６】
2009127248.tif 000010
【図７】
2009127248.tif 000011
【図８】
2009127248.tif 000012
【図９】
2009127248.tif 000013
【図１０】
2009127248.tif 000014
【図１１】
2009127248.tif 000015
【図１２】
2009127248.tif 000016
【図１３】
2009127248.tif 000017
【図１４】
2009127248.tif 000018
【図１５】
2009127248.tif 000019